(57)【特許請求の範囲】
【請求項１】
撮像手段の出力信号そのままの画像データを含む撮像情報を記録媒体に記録するデジタルカメラであって、
前記撮像情報には、ホワイトバランス調整用の色ゲイン情報が含まれ、前記色ゲイン情報は、前記画像データの撮影時の設定に基づく色ゲイン情報と、各種光源による撮影を想定したマニュアルホワイトバランス用の調整済み色ゲイン情報とからなるデジタルカメラ。
【発明の詳細な説明】
【０００１】
【発明の属する技術分野】
本発明は、撮像手段の出力信号そのままの画像データを出力するデジタルカメラに関する。
【０００２】
【従来の技術】
デジタルカメラは、撮影前に被写体の画像を連続表示して、撮影される画像を確認した上で撮影したり、撮影済の画像を再生表示して確認することが可能である。特に、撮影した画像を撮影直後に再生する機能は利便性が高い。そのため、撮影した画像データを画像表示部での画像再生に適した画像信号形態に変換した後、記録媒体へ記録している。例えば、輝度Ｙ信号、色差Ｒ−Ｙ信号、色差Ｂ−Ｙ信号の組み合わせや、ＲＧＢ信号の組み合わせ等が画像信号形態として用いられている。
【０００３】
一方、デジタルカメラのＣＣＤ撮像素子等を有する撮像手段の出力信号をそのまま出力可能としたデジタルカメラも提案されている（特開平１１−２６１９３３号公報、特開２００１−２２３９７９公報参照）。撮像手段の出力信号そのままの画像データ（以下、撮像手段の出力信号そのままの画像データを「ＲＡＷデータ」と記述する。）を利用すると、撮像手段の画素構成、特性等を生かした画像を得ることができ、利用者による画像補正処理時にも、画像劣化のない処理が可能である。
【０００４】
ＲＡＷデータに対する画像補正処理として、ホワイトバランス（ＷＢ）調整処理がある。ホワイトバランス調整処理は、ＲＡＷデータのそれぞれの色信号に対するゲインを変更することにより、適切な色調の画像データを得るものである。デジタルカメラは、内部にホワイトバランス調整機能を有しており、利用者による撮影前の設定に応じた色ゲインデータにより、ホワイトバランス調整処理を行う。そして、画像再生に適した画像信号形態に変換する場合には、ホワイトバランス調整処理を施した画像データを用いる。
【０００５】
ホワイトバランスの設定は、マニュアルでの光源条件（屋外、日陰、照明の種類）に対応した設定の他、撮影シーンに応じた自動調整（オートホワイトバランス）の設定も可能である。設定に応じて得られる色ゲインデータは、ＣＣＤ撮像素子の種類、個体毎の特性差があるため、同じ設定でも、撮影に使用したカメラ毎に異なる。また、オートホワイトバランス調整も、カメラの種類、個体の特性に応じたアルゴリズムによって行われる。
【０００６】
したがって、ＲＡＷデータの出力に際して、撮影時の設定に基づく色ゲインデータをＲＡＷデータとともに出力するのが好ましく、特開２００１−２２３９７９公報に記載されたカメラは、ＲＡＷデータに、画像再生用パラメータとして撮影時の設定によるホワイトバランス用の色ゲインデータが付加されている。
【０００７】
出力されたＲＡＷデータに対して色補正を行うに際して、撮影時の設定の誤りに気付いた場合等、異なる光源条件での画像となるような調整をしたい場合がある。しかし、前述したように、各種光源条件に応じた色ゲインは、カメラ毎に異なるため、事実上困難である。
【０００８】
【発明が解決しようとする課題】
本発明は、上記事情に鑑みなされたもので、出力後にデジタルカメラに固有に設定された異なる光源条件でのホワイトバランス調整処理を施すことを可能とするＲＡＷデータを出力するデジタルカメラを提供するものである。
【０００９】
【課題を解決するための手段】
本発明のデジタルカメラは、撮像手段の出力信号そのままの画像データを含む撮像情報を記録媒体に記録するデジタルカメラであって、前記撮像情報には、ホワイトバランス調整用の色ゲイン情報が含まれ、前記色ゲイン情報は、前記画像データの撮影時の設定に基づく色ゲイン情報と、各種光源による撮影を想定したマニュアルホワイトバランス用の調整済み色ゲイン情報とからなるものである。
【００１０】
このような色ゲイン情報が含まれるＲＡＷデータを用いると、マニュアルによる光源条件の設定が適当でなかった場合等、より適当な光源条件での画像を得ることができる。例えば、蛍光灯の照明だったのに、日中屋外の設定で撮影した場合でも、ＲＡＷデータに対して、そのカメラ固有の日中屋外の色ゲインデータを用いて補正をすることができる。
【００１１】
【発明の実施の形態】
以下、本発明の実施の形態について、図面を用いて説明する。図１は、本発明のデジタルカメラの概略構成を示す図である。図１のデジタルカメラは、レンズ部１、撮像デバイス２、及び駆動部３を含む撮像部、アナログ信号処理部４、Ａ／Ｄ変換部５、デジタル信号処理部６、出力用メモリ７、及び圧縮伸張処理部８を含む信号処理部、メディアインタフェース１０及び画像モニタ１１を含む出力部、モード切換えスイッチ、レリーズボタン等を含む操作部１２、並びにデジタルカメラ全体を制御するシステム制御部９を含んで構成される。
【００１２】
撮像部の構成は、従来のデジタルカメラと同じであるので簡単に説明する。レンズ部１を通った光は、ＣＣＤ等の撮像デバイス２の上に焦点を結び、撮影画像信号が取得される。撮像信号の取得に際しては、駆動部３を介してレンズ部１及び図示しない絞りの制御が行われる。撮像デバイス２は、レリーズボタン（図示せず）の操作を契機として、所定のタイミングで、タイミングジェネレータ（図示せず）を含む駆動部３によって駆動され、撮影画像信号を出力する。
【００１３】
撮影画像信号は、アナログ信号処理部４によってアナログ信号処理された後、Ａ／Ｄ変換部５でデジタル信号に変換され、ＲＡＷデータとしてデジタル信号処理部６に送られる。デジタル信号処理部６では、操作部１２によって設定された動作モードに応じたデジタル信号処理を行い、得られた画像データは、出力用メモリ７に一時的に記憶される。
【００１４】
デジタル信号処理部６が行う処理には、ホワイトバランス調整、Ｙ／Ｃ処理、ガンマ補正処理等が含まれる。デジタル画像処理を経た画像データに基づく画像を、画像モニタ１１に表示する場合は、出力用メモリ７の内容を読み出して画像モニタ１１に送られる。出力用メモリ７の画像データは、圧縮伸張処理部８で圧縮処理された後あるいは直接、メディアインタフェース１０を経て、図示しないメモリカード等の記録メディアに記録される。画像モニタ１１には、記録メディアの画像データに基づく画像も表示可能である。
【００１５】
システム制御部９は、撮影動作を含むデジタルカメラ全体の制御を行う。システム制御部９は、具体的には所定のプログラムによって動作するプロセッサを主体に構成され、内部にプログラム、動作に必要な各種データを記憶するメモリ、及びワークメモリを備える。
【００１６】
操作部１２は、デジタルカメラ使用時の各種操作を行うもので、撮影時の撮影方法、撮影条件、撮影画像情報の処理方法の設定、及びメディアに対する記録モードの設定等を行う。操作部１２は、それぞれの機能に対応する操作部材を設けてもよいが、画像モニタ１１の表示と連動して操作部材を共用してもよい。設定される撮影条件には、ホワイトバランスの設定を含んでおり、光源条件（屋外、日陰、照明の種類）に対応したマニュアル設定、及び撮影シーンに応じて自動的にホワイトバランスを調整するオートホワイトバランスの設定が可能である。また、記録モードには、圧縮画像データの記録モードとＲＡＷデータの記録モードを含んでおり、圧縮モードの設定時には、圧縮率の設定も可能である。
【００１７】
今、ホワイトバランスが「オートホワイトバランス」に設定され、記録モードが「ＲＡＷデータ」に設定されている状態で、撮影を行うものとする。デジタル信号処理部６は、Ａ／Ｄ変換部５からのＲＡＷデータに対して、オートホワイトバランス調整処理を施し、さらに、ガンマ補正、補間処理、Ｙ／Ｃ処理等を行って、画像モニタ１１に表示可能な形式の画像データとし、出力用メモリ７に出力する。画像モニタ１１は、この画像データに基づいてスルー画像を表示する。なお、スルー画像の表示を行わない場合は、ガンマ補正、補間処理、Ｙ／Ｃ処理等は、不要である。
【００１８】
この状態で、操作部１２のレリーズボタン（図示せず）が押下されると、デジタル信号処理部６は、入力されたＲＡＷデータに対してオートホワイトバランス調整処理を施し、撮影シーンに応じた色補正ゲインを求め、ＲＡＷデータとともに、出力用メモリ７に出力する。
【００１９】
そして、出力用メモリ７のＲＡＷデータ及びオートホワイトバランス調整処理によって求めた色ゲインデータは、マニュアルで設定可能な光源条件（屋外、日陰、照明の種類）に対応したホワイトバランス調整を行うために予め記憶された色ゲインデータとともに、メディアインタフェース１０を介して、図示しない記録メディアに記録される。このとき、合わせて撮影付属情報等も１つの画像ファイルとして図示しない記録メディアに記録される。このような撮影動作及び記録動作の制御は、システム制御部９によって行われる。また、光源条件（屋外、日陰、照明の種類）に対応したマニュアル設定に基づく色ゲインデータは、図示しないメモリに記憶されたものを用いる。
【００２０】
図２に、ＲＡＷデータが記録された画像ファイルのデータフォーマットの一例を示す。画像ファイルは、ヘッダ部と画像データ部を含み、ヘッダ部には、機種情報、画像補正用パラメータ、撮影付属情報が含まれる。機種情報は、カメラの撮像部を特定するためのものであり、機種を特定することによって、画素数、画像配列、アナログ信号処理方式、Ａ／Ｄ変換のビット数等が特定される。撮影付属情報には、撮影年月日や、シャッタ速度、絞り値、露光モード等の撮影条件が含まれる。
【００２１】
画像補正用パラメータは、ＲＡＷデータに対する処理を補助する情報であり、ホワイトバランス調整用の色ゲインデータが含まれる。図３にその一例を示すように、色ゲインデータは、撮影時に設定されたホワイトバランスに対応した色ゲインデータ（Ｒゲイン、Ｇゲイン、Ｂゲイン）と、光源条件（屋外、日陰、照明の種類）に対応して予め調整された色ゲインデータ（Ｒゲイン、Ｇゲイン、Ｂゲイン）からなる。この例では、光源条件として、「晴れ」、「日陰」、「蛍光灯Ｄ５０」、「蛍光灯昼光」が設定可能となっている。
【００２２】
画像データ部には、Ａ／Ｄ変換部５からのＲＡＷデータが、撮像デバイス２の画素数、画素配列、色（ＲＧＢ）成分にしたがって、順次記録される。
【００２３】
なお、この例では、画像表示部での画像再生に適した画像信号形態の画像データとＲＡＷデータのいずれか一方を選択的に出力するものとして説明したが、両方出力するようにしてもよい。その場合、ＲＡＷデータの画像補正用パラメータとして、ホワイトバランス調整に使用した色ゲインデータだけでなく、オプティカルブラック補正データ、階調補正データ等を含めるのが好ましい。
【００２４】
【発明の効果】
以上の説明から明らかなように、本発明のデジタルカメラによれば、出力後にデジタルカメラに固有に設定された異なる光源条件でのホワイトバランス調整処理を施すことを可能とするＲＡＷデータを出力することができる。
【図面の簡単な説明】
【図１】本発明の実施の形態のデジタルカメラの概略構成を示す図
【図２】ＲＡＷデータが記録された画像ファイルのデータフォーマットの一例を示す図
【図３】色ゲインデータの一例を示す図
【符号の説明】
１・・・レンズ部
２・・・撮像デバイス
３・・・駆動部
４・・・アナログ信号処理部
５・・・Ａ／Ｄ変換部
６・・・デジタル信号処理部
７・・・出力用メモリ
８・・・圧縮伸張処理部
９・・・システム制御部
１０・・・メディアインタフェース
１１・・・画像モニタ
１２・・・操作部
【図１】
0004524065.tif 000002
【図２】
0004524065.tif 000003
【図３】
0004524065.tif 000004